【手続補正書】
【提出日】平成20年12月2日(2008.12.2)
【手続補正１】
【補正対象書類名】明細書
【補正対象項目名】００１３
【補正方法】変更
【補正の内容】
【００１３】
また、本実施の形態の撮像装置１には、位置検出部２１が設けられる。
位置検出部２１は、例えばＧＰＳ(Global Positioning System)モジュールなどのデバイスから成り、例えば、現在時点における位置を検出する。このようにして検出される位置情報は、例えば緯度、経度などにより表される。本実施の形態の場合、この位置検出部２１により検出された位置情報は、カメラ制御部１８に入力されるようになっている。
このようにして取得される位置情報は、本実施の形態では、撮像してストレージ部１７に記憶させるべき画像データのファイルに付加すべき付加情報として利用するようにされる。つまり、図２に示したように、画像データのメタデータ部に格納すべき位置情報として利用する。なお、位置情報は、これ以外の用途に利用されてもよいものである。また、位置検出部２１としては、ＧＰＳを備えるもの以外であっても、現在位置の情報を取得できる構成を採るものであればよい。
【手続補正２】
【補正対象書類名】明細書
【補正対象項目名】００１６
【補正方法】変更
【補正の内容】
【００１６】
カメラ制御部１８は、先に説明したＡＦ制御、ズーム制御などに代表される、撮像部１１においてカメラユニットを構成するとされる部位についての所定の制御機能をまとめて示す部位である。また、このカメラ制御部１８において得られた所定の制御結果などの情報は、メタデータ制御部（管理情報制御部）２０が取り込んで、メタデータの生成に使用するようにもされる。
ビデオ制御部２３は、ビデオ圧縮処理部１２における信号処理動作が適正に実行されるように各種の制御を行う。例えば、ビデオ圧縮処理部１２からデータを取り込んで、圧縮処理のための動き検出などの各種検出処理、演算処理などを実行し、その検出結果や演算結果に応じて、ビデオ圧縮処理部１２における信号処理についての所要の制御等を行うようにされる。また、ビデオ制御部２３において得られた所定項目についての検出結果や、制御結果などの情報は、メタデータ制御部２０が取り込んで管理情報の生成に使用することができる。
オーディオ制御部１９は、この場合には、オーディオ信号処理動作についての各種制御を実行する。このために、オーディオ制御部１９は、例えば収音部１３の信号処理結果などに応じて出力される所定の情報に基づいて、オーディオ圧縮処理部１４の信号処理動作を制御するようにされる。また、このオーディオ制御部１９において得られた所定の制御結果などの情報も、メタデータ制御部２０が取り込んでメタデータの生成に使用することができる。
【手続補正３】
【補正対象書類名】明細書
【補正対象項目名】００１８
【補正方法】変更
【補正の内容】
【００１８】
メタデータ制御部２０は、図２に例示したように、画像データに付随させるべきメタデータ部としての情報(メタデータ)を生成する。メタデータ制御部２０は、これまでに説明したように、管理情報の生成にあたって、例えばカメラ制御部１８、オーディオ制御部１９、及びビデオ圧縮処理部１２などから出力される所定の制御情報、検出結果などの情報を利用して、位置検出部２１にて検出された位置情報の他、撮影日時等をはじめとする各種のメタデータの情報項目を収集、生成する。そして、これらの情報項目を所定のデータ構造に格納するようにしてメタデータとしての情報単位を得る。
【手続補正４】
【補正対象書類名】明細書
【補正対象項目名】００３４
【補正方法】変更
【補正の内容】
【００３４】
先ず、図７（ａ）には、旅行記のメインページの表示態様例が示されている。このメインページの左側の画像領域ＡＲ１には、或る地域全体の地図が示され、さらにその地図に対して、Ａ街、Ｂ街、Ｃ街、Ｄ街の場所を指示する表示が行われている。また、画像領域ＡＲ１の右側の画像領域ＡＲ２には、「旅行記  項目見出し」のタイトルの下に、「Ａ街  旅行記録」「Ｂ街  旅行記録」「Ｃ街  旅行記録」「Ｄ街  旅行記録」との見出し文字が表示されている。これらの見出し文字にはアンダーラインが配置されているが、これは、見出し文字の各々についてリンクが張られていることを示している。
例えば図７（ａ）に示すメインページを実際にＷｅｂブラウザにより表示させたとして、「Ａ街  旅行記録」の見出しをクリックしたとすると、図７（ｂ）に示すリンクページを読み込んで表示することになる。
【手続補正５】
【補正対象書類名】明細書
【補正対象項目名】００４０
【補正方法】変更
【補正の内容】
【００４０】
ＣＰＵ(Central Processing Unit)３１は、例えばＲＯＭ３２において保持されているプログラム、及びＨＤＤ３４に記憶されているアプリケーションプログラム等をＲＡＭ１３に展開して実行する。また、ＲＡＭ３３にはＣＰＵ３１が各種処理を実行するのに必要なデータ等も適宜保持される。なお、ＲＯＭ３２は、一般には書き換え不可の構成であるが、例えば、フラッシュメモリなどの不揮発性の書き換え可能なメモリ素子を含んだ構成とされてもよい。
【手続補正６】
【補正対象書類名】明細書
【補正対象項目名】００４１
【補正方法】変更
【補正の内容】
【００４１】
ＨＤＤ３４は、ＰＣにおける補助記憶装置となるもので、上記のようにしてＣＰＵ３１が実行する各種プログラムがインストールされるようにして記憶される。また、各種のアプリケーションファイルなども記憶可能とされる。このようにしてＨＤＤ３４に記憶されるデータは、ファイルシステムなどにより管理される。ＣＰＵ３１は、例えばファイルシステムを利用することで、ＨＤＤ３４に対するデータの書き込み又は読み出しを行うことができるようにされている。
なお、この図においては、ＨＤＤ３４にインストールされるプログラムのうちで、特に、Ｗｅｂブラウザ３４ａを示している。Ｗｅｂブラウザ３４ａは、インターネット上でアップロード、公開されているＷｅｂサイト、若しくはローカルにおかれるＨＴＭＬなどのマークアップ言語による文書を表示出力して閲覧、利用できるようにするためのアプリケーションソフトウェアであり、先の説明から理解されるように、本実施の形態においては、Ｗｅｂコンテンツ作成のためにブログサーバ３あるいはＷｅｂコンテンツ作成サーバ３Ａにインターネット経由でアクセスするときに使用される。
【手続補正７】
【補正対象書類名】明細書
【補正対象項目名】００５４
【補正方法】変更
【補正の内容】
【００５４】
図１０は、図４及び図５の例に倣ってブログのリンクページを自動作成する場合の、ＰＣ２とブログサーバ３が実行する処理手順を示している。なお、この図に示す手順は、ユーザが、ブログを更新するために、既に図４（ａ）に対応する撮像装置１からＰＣ２への画像データの転送を行い、さらに、ＰＣ２にてＷｅｂブラウザ３４ａを起動させてブログサーバ３とインターネット経由で接続して、ブログを編集する環境が得られている状況において行われるものである。
また、図１０において、ＰＣ２側については、ユーザインターフェイスとＷｅｂブラウザが示され、ブログサーバ３側では、コンテンツ作成処理、メタデータ処理、及び地図データベース（データベース）が示される。ＰＣ２側のユーザインターフェイスは操作入力処理部３５が対応する処理となる。同じＰＣ２のＷｅｂブラウザは、ＨＤＤ３４に記憶されているもので、起動された状態でＣＰＵ３１が実行しているＷｅｂブラウザ３４ａとしての動作が相当する。また、ブログサーバ３側のコンテンツ処理、メタデータ処理、地図データベースは、それぞれ、図９のコンテンツ作成処理部５２、メタデータ処理部５３、地図データベース５４ｂが対応する。
【手続補正８】
【補正対象書類名】明細書
【補正対象項目名】００６１
【補正方法】変更
【補正の内容】
【００６１】
続いて、図１１により、図６及び図７の例に倣ってＷｅｂページを自動作成する場合の、ＰＣ２とＷｅｂコンテンツ作成サーバ３Ａが実行する処理手順を示している。この図に示す手順も、ユーザが、ホームページなどと一般にいわれるＷｅｂコンテンツを成すＷｅｂページを作成、更新するために、既に、図６（ａ）に対応する撮像装置１からＰＣ２への画像データの転送を行い、さらに、ＰＣ２にてＷｅｂブラウザ３４ａを起動させてＷｅｂコンテンツ作成サーバ３Ａとインターネット経由で接続して、Ｗｅｂコンテンツの編集環境が得られている状況において行われるものである。
また、図１１においても、図１０と同様に、ＰＣ２側の処理としてはユーザインターフェイス及びＷｅｂブラウザが示され、ブログサーバ３側の処理としてはコンテンツ作成処理、メタデータ処理が示され、地図データベース（データベース）が処理対象として示されている。
【手続補正９】
【補正対象書類名】明細書
【補正対象項目名】００６７
【補正方法】変更
【補正の内容】
【００６７】
１  撮像装置、２  パーソナルコンピュータ（ＰＣ）、３  ブログサーバ、３Ａ  Ｗｅｂコンテンツ作成サーバ３Ａ、１１  撮像部、１２  ビデオ圧縮処理部、１３  収音部、１４  オーディオ圧縮部、１５  多重化処理部、１６  バッファ部、１７  ストレージ部、１８  カメラ制御部、１９  オーディオ制御部、２０  管理情報制御部、２１  位置検出部、２２  ユーザインターフェイス制御部、２３  ビデオ制御部、２４  データインターフェイス、３１  ＣＰＵ、３２  ＲＯＭ、３３  ＲＡＭ、３４  ＨＤＤ、３４ａ  Ｗｅｂブラウザ、３５  操作入力処理部、３６  表示出力処理部、３７  メディアドライブ、３８  データインターフェイス、３９  ネットワークインターフェイス、４０  内部バス、４１  操作デバイス、４２  表示デバイス、５０  制御部、５１  ネットワークインターフェイス、５２  コンテンツ作成処理部、５３  メタデータ処理部、５４  記憶部、５４ａ  ブログデータベース、５４ｂ  地図データベース、５４ｃ  テンプレートデータベース、５５  内部バス
【手続補正１０】
【補正対象書類名】図面
【補正対象項目名】図３
【補正方法】変更
【補正の内容】
【図３】
2007213385.tif 000001